(57)【要約】      （修正有）【課題】魚が釣れているときには摘みを把持しての巻取りができるが、ルアー操作をするような場合は、短いアーム長での巻取りができる釣り用リールのハンドルを提供する。【解決手段】リール本体に取り付けるための取り付け部と、取り付け部に固定されるハンドルアームと、ハンドルアームの先端に支持される摘みとを備える。ハンドルアームは、ワイヤーを曲げ形成した曲げ物であって、摘みが取り付けられるアーム一半部と、アーム一半部とは逆側に延出していて、指を差し込んでハンドルアームを回転させることができるアーム他半部とから構成されている。【選択図】図３
0003158730.tif 000002
【実用新案登録請求の範囲】
【請求項１】
リール本体に取り付けるための取り付け部と、該取り付け部に固定されるハンドルアームと、ハンドルアームの先端に支持される摘みとを備えて構成される釣り用リールのハンドルにおいて、前記ハンドルアームは、ワイヤーを曲げ形成した曲げ物であって、摘みが取り付けられるアーム一半部と、該アーム一半部とは逆側に延出していて、指を差し込んでハンドルアームを回転させることができるアーム他半部とから構成されていることを特徴とする釣り用リールのハンドル。
【請求項２】
ワイヤーは、取り付け部に固定されるブラケットから延出するものであり、アーム他半部は、該ブラケット延出部位から先端部位まで指を差し込めるよう一対のワイヤーが間隙を存して対向していることを特徴とする請求項１記載の釣り用リールのハンドル。
【考案の詳細な説明】
【技術分野】
【０００１】
本考案は、両軸受けリール、スピニングリール等の各種の釣り用リールのハンドルの技術分野に属するものである。
【背景技術】
【０００２】
一般に、この種釣り用リールは、ハンドル操作によってスプールを回転させ、繰出した釣り糸を巻き取るようになっている。ところでハンドルアームの長さはリールの巻き上げ力を決定するものであり、長い方が軽い巻き上げ力で巻き上げることができ、魚が釣れているときには有利に作用する。しかしながらルアーを操作するような場合、ハンドルアームが短い方が巻き上げ時の動作が小さくなって細やかな操作ができるだけでなく、不要な体力消耗を少なくできる。そこでハンドルアームの長さを調整できるようにしたものが知られている。（例えば特許文献１参照）。
【先行技術文献】
【特許文献】
【０００３】
【特許文献１】特開２００４−１４１０３３号公報
【考案の概要】
【考案が解決しようとする課題】
【０００４】
しかしながら前記ハンドルアームの長さ調整ができるものは、構造が複雑であって部品点数も多いうえ、釣り人の好みに応じた瞬時的な調整が難しいというという問題があり、ここに本考案の解決すべき課題がある。
【課題を解決するための手段】
【０００５】
本考案は、上記の如き実情に鑑みこれらの課題を解決することを目的として創作されたものであって、請求項１の考案は、リール本体に取り付けるための取り付け部と、該取り付け部に固定されるハンドルアームと、ハンドルアームの先端に支持される摘みとを備えて構成される釣り用リールのハンドルにおいて、前記ハンドルアームは、ワイヤーを曲げ形成した曲げ物であって、摘みが取り付けられるアーム一半部と、該アーム一半部とは逆側に延出していて、指を差し込んでハンドルアームを回転させることができるアーム他半部とから構成されていることを特徴とする釣り用リールのハンドルである。
請求項２の考案は、ワイヤーは、取り付け部に固定されるブラケットから延出するものであり、アーム他半部は、該ブラケット延出部位から先端部位まで指を差し込めるよう一対のワイヤーが間隙を存して対向していることを特徴とする請求項１記載の釣り用リールのハンドルである。
【考案の効果】
【０００６】
請求項１の考案とすることにより、アーム他半部に釣り人が指を入れることで好きな長さとしてのハンドルアーム操作をすることを、ワイヤーを用いた曲げ物という単純なものでできることになる。
請求項２の考案とすることにより、曲げ物からなるハンドルアームにおいて、ハンドルアームの長さ設定の自由度が向上し、釣り人の好みに応じた巻き操作ができることになる。
【図面の簡単な説明】
【０００７】
【図１】リールの平面図である。
【図２】リールの正面図である。
【図３】（Ａ）はハンドルの正面図、（Ｂ）はハンドルの背面図、（Ｃ）はハンドルの斜視図である。
【図４】（Ａ）はハンドルアームの正面図、（Ｂ）はハンドルアームの背面図である。
【図５】（Ａ）はハンドルアーム単体の正面図、（Ｂ）はブラケットの正面図、（Ｃ）は摘み基部の正面図、（Ｄ）摘み基部の側面図である。
【図６】ハンドルアームの使用状態を示す側面図である。
【考案を実施するための形態】
【０００８】
次ぎに、本考案の実施の形態について、図面を用いて説明する。図面において、１は両軸受けの釣り用リールのリール本体であって、該リール本体１は、左右のサイドケース２、３と、該サイドケース２、３間に軸支され、テグス（道糸）Ｔが懸回されるスプール４と、右側サイドケース３に設けられるハンドル５およびドラグレバー６を備えて構成されていること等は何れも従来どおりであり、前記ハンドル５に本考案が実施されており、以下、ハンドル５について詳述する。
【０００９】
前記ハンドル５は、右側サイドケース３への取り付け部７と、該取り付け部７に一体的に設けられるハンドルアーム８と、ハンドルアーム８の先端部に取り付けられる摘み９とを用いて構成されるが、ハンドルアーム８は、ワイヤー（針金）８ａを曲げ加工した曲げ物を用いて構成されている。
【００１０】
つまりハンドルアーム８は、前記取り付け部７に固定されるブラケット１０を備えているが、該ブラケット１０は、本実施の形態では円盤形状になっているが、ブラケット１０の形状は円盤に限定されないことは勿論である。ブラケット１０の中心部には、ブラケット１０を取り付け部７に固定するための固定ボルト１１が貫通する貫通孔１０ａが穿設されているが、さらにブラケット１０には貫通孔１０ａを挟むようにして一対の嵌合溝１０ｂ、１０ｃが形成され、該嵌合溝１０ｂ、１０ｃ側が取り付け部７に当てがわれるようにして該取り付け部７に固定される。
【００１１】
ブラケット７の嵌合溝１０ｂ、１０ｃには長尺リング状に湾曲したワイヤー８ａが嵌合されているが、該ワイヤー８ａは、両端部８ｂ、８ｃが一方の嵌合溝１０ｂに突合せ状に嵌合した状態でブラケット７から左右両側に延出し、該延出したものを折返し状に湾曲し、折返し中間部８ｄを他方の嵌合溝１０ｃに嵌合している。ワイヤー８ａの両端部８ｂ、８ｃと折返し中間部８ｄとの対向間隔Ａは一対の嵌合溝１０ｂ、１０ｃの対向間隔Ｂよりも大きく設定され、これによってワイヤー８ａは嵌合溝１０ｂ、１０ｃに無理嵌め状に嵌合し、強固な嵌合とガタツキ防止とが図られている。
尚、本実施の形態では１本のワイヤー８ａを長尺リング状に湾曲してハンドルアーム８を形成しているが、１本のワイヤーを長尺Ｕ字形に湾曲してブラケット７から一方にのみ延出したもの、２本のワイヤーをそれぞれ長尺Ｕ字形に湾曲してブラケット７から両側に延出したものとすることもできる。
また、ワイヤー８ａの嵌合溝１０ｂ、１０ｃへの強固な嵌合とガタツキ防止の無理嵌め嵌合としては、嵌合溝の対向間隔とワイヤ間の対向間隔の関係を逆にしてもよく、またワイヤー８ａの太さを嵌合溝１０ｂ、１０ｃ溝幅よりも大きくしてもよい。
【００１２】
一方の湾曲部８ｅは、摘み９の板状の基部９ａを懸回する状態で挟持状に固定しているが、この場合に、摘み基部９ａの湾曲部８ｅが懸回する外周面は凹溝９ｂになっていてワイヤー８ａが入り込んで摘み基部９ａの湾曲部８ｅからの抜止めがなされると共に、ワイヤー８ａの摘み基部９ａに懸回する部位よりブラケット７側部位８ｆは、ワイヤー８ａの対向間が狭くなっていて摘み基部９ａがブラケット７側に位置ずれしないようになっている。摘み基部９ａの取り付け部７側面には湾曲部８ｅを覆う状態のフランジ９ｃが形成されている。そして摘み基部９ａは、摘み本体９ｄに螺子９ｅを介して回動自在に軸支されている。
【００１３】
一方、ワイヤ−８ａの他方の湾曲部８ｆからブラケット７に至る部位のワイヤー対向間隔は幅広になっていて指（例えば人差し指）を抜き差し自在に挿入できる指掛け部８ｈになっている。
尚、図中、１１はブラケット７に固定されるカバーである。
因みにワイヤー８ａは、モノライン（中実状であっても中空状であっても良い）であって防錆性に優れたステンレス等の金属製のものが好ましい。
【００１４】
叙述のごとく構成された本考案の実施の形態において、ハンドルアーム８は、ワイヤー８ａを曲げ加工した曲げ物で形成されるため、板材からの打ち抜き物や鋳物のように専用の金型を各形状毎に用意する必要がなくなり、この結果、形状変更や長さ変更、さらには三次元加工が低コストで自由にできることになる。
【００１５】
しかもこのものでは、魚が釣れているときにはハンドルアーム８の一半側に設けられている摘み９を把持しての長いアーム長での巻き上げ動作ができて軽快な魚の取り込みができるが、ルアー操作をするような場合には、ハンドルアーム８の他半部がＵ字状になっていて中に指を入れてリールの巻き操作をすることができ、この結果、ルアー操作をするような場合に、釣り人の好きな位置に指を入れて引っ掛けた状態で巻き操作をすることができ、巻き上げ時の動作が小さくなって細やかな操作ができるだけでなく、不要な体力消耗を少なくできる。
【産業上の利用可能性】
【００１６】
スピニングリールや両軸受けリール等の魚釣り用リールのハンドルとしての利用可能性がある。
【符号の説明】
【００１７】
１    リール本体
８    ハンドルアーム
８ａ  ワイヤー
８ｅ  湾曲部
８ｇ  指掛け部
９    摘み
【図１】
0003158730.tif 000003
【図２】
0003158730.tif 000004
【図３】
0003158730.tif 000005
【図４】
0003158730.tif 000006
【図５】
0003158730.tif 000007
【図６】
0003158730.tif 000008